(57)【要約】  セルラーネットワークにおいて位置サービスＬＣＳを容易にする移動端末装置。移動端末装置で実現されるシステムは、無線信号を通信する移動通信コンポーネントと、位置情報を提供するために移動通信コンポーネントにおいて具現化される位置サービスコンポーネントとを備える。位置要求（２００）は移動端末装置に受信され、ＬＣＳサーバを用いて処理され、トリガーイベントを起動する。位置追跡報告は、各イベントに対して自動的に生成され（２０８）、ＭＬＰ又は無線ネットワークシグナリングプロトコルを介して、要求しているクライアントに送信される（２１２）。
2007535831.tif 000002
【特許請求の範囲】
【請求項１】
セルラーネットワークにおいて位置追跡の通知を容易にするシステムであって、
無線信号を通信する移動通信コンポーネントと、
位置決め情報の決定を容易にする前記移動通信コンポーネントと関連する位置サービスコンポーネントと
を備えることを特徴とするシステム。
【請求項２】
前記移動通信コンポーネントは、前記位置サービスコンポーネントを含むことを特徴とする請求項１に記載のシステム。
【請求項３】
前記移動通信コンポーネントは、前記位置決め情報を要求するクライアントから直接位置要求メッセージを受信することを特徴とする請求項１に記載のシステム。
【請求項４】
前記移動通信コンポーネントは、サーバを介して、前記位置決め情報を要求するクライアントから位置要求メッセージを間接的に受信することを特徴とする請求項１に記載のシステム。
【請求項５】
前記移動通信コンポーネントは、Ａ−ＧＰＳ（assisted global positioning system：アシストＧＰＳ）技術を含むことを特徴とする請求項１に記載のシステム。
【請求項６】
前記移動通信コンポーネントは、単一の又は遅延のある（deferred）複数の報告の形式で、位置報告を遠隔無線クライアントに返信することを特徴とする請求項１に記載のシステム。
【請求項７】
遠隔無線クライアントは、位置追跡要求を直接前記位置サービスコンポーネントに通信することを特徴とする請求項１に記載のシステム。
【請求項８】
前記移動通信コンポーネントは、ＯＭＡ／ＬＩＦ  ＭＬＰプロトコルを使用して通信することを特徴とする請求項１に記載のシステム。
【請求項９】
前記位置サービスコンポーネントは、遠隔クライアントを認証することを特徴とする請求項１に記載のシステム。
【請求項１０】
前記位置サービスコンポーネントは、ＬＣＳ（location services）サーバを含むことを特徴とする請求項１に記載のシステム。
【請求項１１】
前記位置サービスコンポーネントは、遅延のある位置報告の自動生成及び報告を容易にすることを特徴とする請求項１に記載のシステム。
【請求項１２】
前記位置サービスコンポーネントは、タイマをトリガーとした報告を容易にすることを特徴とする請求項１に記載のシステム。
【請求項１３】
前記位置サービスコンポーネントは、内蔵された位置受信機を介した速度の決定を容易にすることを特徴とする請求項１に記載のシステム。
【請求項１４】
前記位置サービスコンポーネントは、位置情報を報告するために、ＭＯ−ＬＲ（Mobile Originated-Location Request）及びＭＴ−ＬＲ（Mobile Terminated-Location Request）の少なくとも１の使用を容易にすることを特徴とする請求項１に記載のシステム。
【請求項１５】
前記位置サービスコンポーネントは、該当するアシストデータをコア無線ネットワークから取得することを特徴とする請求項１に記載のシステム。
【請求項１６】
前記位置サービスコンポーネントは、位置要求メッセージにおける１又は複数のトリガーを起動することを特徴とする請求項１に記載のシステム。
【請求項１７】
前記位置サービスコンポーネントは、位置要求メッセージの各トリガーイベントで、位置報告の生成を容易にすることを特徴とする請求項１に記載のシステム。
【請求項１８】
前記位置サービスコンポーネントは、有効期間に亘ってＡ−ＧＰＳデータを使用することを特徴とする請求項１に記載のシステム。
【請求項１９】
前記位置サービスコンポーネントは、他の移動端末からの位置要求信号を処理することを特徴とする請求項１に記載のシステム。
【請求項２０】
請求項１のシステムに従った移動通信装置。
【請求項２１】
請求項２１のシステムを使用するマルチモードセルラー電話機。
【請求項２２】
請求項１のシステムを実行するためのコンピュータ実行可能な命令を格納したコンピュータ読み取り可能な記録媒体。
【請求項２３】
位置追跡情報を容易にする移動端末において、
無線信号を通信する通信コンポーネントと、
ＬＣＳサーバを使用して、位置要求メッセージである無線信号を処理することにより、位置情報を提供する位置サービスコンポーネントと
を備えることを特徴とする移動端末。
【請求項２４】
前記移動端末は、該移動端末に前記位置要求メッセージを直接送信して前記位置情報を受信する遠隔無線クライアントを含む請求項２３に記載の移動端末。
【請求項２５】
前記コンポーネントは、単一又は遅延のある複数の報告の形式で、遠隔クライアントへの位置報告を生成することを特徴とする請求項２３に記載の移動端末。
【請求項２６】
移動端末は、前記位置要求メッセージを直接遠隔無線クライアントから受信し、前記遠隔無線クライアントを認証することを特徴とする請求項２３に記載の移動端末。
【請求項２７】
前記コンポーネントは、遅延のある位置報告の自動的な生成及び報告を容易にすることを特徴とする請求項２３に記載の移動端末。
【請求項２８】
位置要求メッセージ及び位置情報の少なくとも１がユーザプレーンを介して送信されることを特徴とする請求項２３に記載の移動端末。
【請求項２９】
位置要求メッセージ及び前記位置情報の少なくとも１が制御プレーンを介して送信されることを特徴とする請求項２３に記載の移動端末。
【請求項３０】
前記ＬＣＳサーバは、前記位置要求メッセージにおいて１又は複数のトリガーを起動することを特徴とする請求項２３に記載の移動端末。
【請求項３１】
前記１又は複数のトリガーは、タイマ、絶対的な地域、相対的な位置、緊急呼出し、速度、手入力の信号、及び、警告ありの又はなしの報告、のうち少なくとも１に基づいていることを特徴とする請求項３０に記載の移動端末。
【請求項３２】
前記コンポーネントは、前記１又は複数の前記位置要求メッセージのトリガーの各々で、位置報告の生成を容易にすることを特徴とする請求項２３に記載の移動端末。
【請求項３３】
無線クライアントは、前記位置要求メッセージをサーバを介して間接的に前記コンポーネントと通信し、前記位置情報を受信することを特徴とする請求項２３に記載の移動端末。
【請求項３４】
位置追跡情報を提供する方法において、移動端末装置で、前記位置追跡情報を提供する位置サービスアプリケーションを使用することを特徴とする方法。
【請求項３５】
前記位置サービスアプリケーションはＬＣＳサーバを含むことを特徴とする請求項３４に記載の方法。
【請求項３６】
前記位置要求メッセージは、要求しているクライアントから直接に、及び、ゲートウェイサーバを介して前記要求しているクライアントから間接に、の少なくとも何れかで、受信されることを特徴とする請求項３４に記載の方法。
【請求項３７】
前記移動端末装置から、要求している無線クライアントへの、通信に対する位置追跡報告を自動的に生成することをさらに備えることを特徴とする請求項３４に記載の方法。
【請求項３８】
移動通信ネットワークからアシストデータを要求することをさらに備えることを特徴とする請求項３４に記載の方法。
【請求項３９】
前記アシストデータは、Ａ−ＧＰＳ技術に対応することを特徴とする請求項３８に記載の方法。
【請求項４０】
単一の又は遅延のある複数の報告の形式で、前記位置追跡情報を位置追跡報告として前記移動端末装置から送信することをさらに備えることを特徴とする請求項３４に記載の方法。
【請求項４１】
ＯＭＡ／ＬＩＦ  ＭＬＰプロトコルを使用して、位置追跡情報を通信することをさらに備えることを特徴とする請求項３４に記載の方法。
【請求項４２】
前記位置サービスアプリケーションを使用して、前記移動端末装置と通信する遠隔無線装置を認証することをさらに備えることを特徴とする請求項３４に記載の方法。
【請求項４３】
イベントを含む位置要求メッセージを受信することと、
前記位置追跡情報を生成するためのイベントを処理することとをさらに備えることを特徴とする請求項３４に記載の方法。
【請求項４４】
前記位置追跡アプリケーションを使用して位置要求メッセージを処理し、速度を決定することをさらに備えることを特徴とする請求項３４に記載の方法。
【請求項４５】
１又は複数のトリガーイベントを含む位置要求メッセージを受信することと、
前記移動端末装置で前記１又は複数のトリガーイベントを起動し、前記位置追跡情報を提供することを特徴とする請求項３４に記載の方法。
【請求項４６】
ユーザプレーン及び制御プレーンの少なくとも１を介して、前記位置追跡情報を通信することをさらに備えることを特徴とする請求項３４に記載の方法。
【請求項４７】
ユーザプレーン及び制御プレーンの少なくとも１を介して、位置要求メッセージを受信することをさらに備えることを特徴とする請求項３４に記載の方法。
【請求項４８】
前記位置追跡情報を要求する移動装置からの位置要求メッセージを受信することをさらに備えることを特徴とする請求項３４に記載の方法。
【請求項４９】
位置追跡情報を提供する方法であって、
無線信号を通信する移動端末装置を受信することと、
前記移動端末装置においてＬＣＳサービスを使用することと、
位置要求メッセージを受信することと、
前記ＬＣＳサービスで前記位置要求メッセージを処理し、自動的に位置追跡報告を生成することと
を備えることを特徴とする方法。
【請求項５０】
前記位置要求メッセージにおいて１又は複数のトリガーイベントを起動することと、
前記１又は複数のトリガー各々で位置追跡報告を生成することとをさらに備えることを特徴とする請求項４９に記載の方法。
【請求項５１】
ユーザプレーン及び制御プレーンの少なくとも１を介して、遠隔移動端末装置に前記位置追跡情報を送信することを特徴とする請求項４９に記載の方法。
【請求項５２】
アシスト情報を要求し取得することと、その有効期間に対して前記アシスト情報を使用することとをさらに備えることを特徴とする請求項４９に記載の方法。
【請求項５３】
前記移動端末装置の位置と速度との少なくとも１に基づいて、１又は複数の前記位置要求メッセージのイベントトリガーを処理することをさらに備えていることを特徴とする請求項４９に記載の方法。
【請求項５４】
移動端末装置における位置追跡情報の生成を容易にするシステムにおいて、
位置要求メッセージを受信する手段と、
前記位置要求メッセージを処理して、該位置要求メッセージに含まれるトリガーイベントを起動する手段と、
無線ネットワークからアシストデータを取得する手段と、
前記トリガーイベントに基づいて位置追跡報告を自動的に生成する手段と、
要求しているクライアントに前記位置追跡情報を通信する手段と
を備えることを特徴とするシステム。
【発明の詳細な説明】
【技術分野】
【０００１】
本発明は、移動装置の位置追跡に関し、より詳細には、位置追跡アプリケーションについてのサーバに基づく解決方法に関する。
【背景技術】
【０００２】
セルラー電話製造業は、既に非常に競争が激しくなった産業において、既存の顧客をつなぎ止め新規顧客を集めようとして、新しい革新的なサービスを継続して提供する努力をしている。位置に基づくサービスは、人（又は人の細目（ｉｔｅｍ））の位置に基づいて提案されるべき個別のサービスを可能とする。例えば、サービスは、セキュリティ報告、フリート（運行）及びリソース管理、位置に基づく情報、乗物の追跡、人同士の位置、及び、メッセージングアプリケーションを含む。
【０００３】
位置に基づく情報サービスによって、要求しているユーザの位置に基づいてフィルタされ調整される情報に対して、加入者がアクセスすることが可能となる。きっかけとなる条件が満たされた場合、加入者はオンデマンドで又は自動的にサービス要求を初期化することができる。サービス要求は、単一の要求である場合があり、又は、複数の遅延のある応答に帰着する場合がある。情報サービスに基づく位置の例は次を含む。すなわち、ユーザをその目的地に導くナビゲーション、歴史的な名所を描写し、レストラン、空港、バスターミナル等を見つけるための都市の見物、ある地理的な地域においてユーザに対するブロードキャストコンテンツをサポートする、位置に依存するコンテンツのブロードキャスト、電話番号及びアドレスを見つけるための携帯電話のイエローページを含む。
【０００４】
公的な通信システムは高度に標準化されており、セルラー電話業等の装置製造業は、全ての顧客に対して同一の通信インターフェースを使用して異なる装置を製造することにより、経済規模の利益を得ることが可能である。このようにして、第１のネットワークと共に動作する移動通信装置を、第１のネットワークと同一の標準化されたアーキテクチャ及びシグナリングプロトコルに従う第２のネットワークとともに使用することが可能である。ネットワーク間のインターフェースが標準化されている場合、標準化により、セルラー電話の呼び出し又はデータメッセージ等の情報を通信ネットワーク間で容易に伝達可能となり、さらなる利点が生じる。
【０００５】
（ＬＣＳ位置（ＬＣＳ−ＬｏＣａｔｉｏｎ）サービスで表される）標準化に基づく位置サービスアーキテクチャの基本コンポーネントは、ＬＣＳクライアント及びＬＣＳサーバを含む。ＬＣＳサーバは、ＬＣＳクライアントにサービスを提供するために必要な多くの位置サービスコンポーネント及びベアラを含むソフトウェア及び／又はハードウェアコンポーネントである。位置サービスベアラの例は、速いリソース管理のためのソフトウェアアプリケーションである。ＬＣＳサーバは位置情報要求を受信し、その要求を処理し、受信した要求に対してレスポンスを返す。ＬＣＳサーバは、同時に、音声、データ、メッセージング、他の電話サービス、ユーザアプリケーション及び補助的なサービス等の、他の電話通信サービスとともに、位置に基づくサービスをサポートし、従って、ユーザ及びサービスプロバイダがサービスに対する需要を決定することが可能となる。
【０００６】
ＬＣＳクライアントは、特定のパラメータセット内における１又は複数の携帯電話機についての位置情報を取得するためにＬＣＳサーバと相互に通信するソフトウェア及び／又はハードウェアコンポーネントである。ＬＣＳクライアントは、位置情報を取得するためにＬＣＳを予約する（subscribe）。ＬＣＳクライアントは、人間のユーザと相互に交信する又は交信しない場合があり、データをフォーマットして提示しかつユーザインターフェース（やりとり（dialogue））を管理する責任を有する場合がある。
【０００７】
ＬＣＳクライアント及びサーバはＬＣＳメッセージを使用して情報を交換するが、各ＬＣＳメッセージはパラメータセットを含んでいる。ＬＣＳメッセージは位置サービス要求及び／又は位置サービス応答を含むことができる。位置サービス要求は２種類存在することが可能である。すなわち、即座の応答を受信する即座要求と、応答時間が遅延し（又はイベントに駆動され）、その応答に１又は複数のサービス応答を含むことが可能な遅延タイプである。位置サービス要求報告は、ＬＣＳサーバからＬＣＳクライアントへの遅延のある位置サービス要求の結果を提供する。サーバによって初期化されたクライアントとサーバとの間のやりとりを用いて、報告が提供される。
【発明の開示】
【発明が解決しようとする課題】
【０００８】
現在のＬＢＳ（location based service；位置に基づいたサービス）システムの１つの不利な点は、ＬＣＳに基づくネットワークが移動局にメッセージを送信し、移動局の位置を報告するよう要求しなければならないようにシステムが構築されていることである。従って、移動局がその位置をネットワークに報告する毎に、ネットワークから移動局への１つのメッセージと、移動局からネットワークへの応答と、の少なくとも２つのメッセージが必要となる。セルラーネットワーク等の数多くの顧客に対してサービスを提供する通信ネットワークにおいて、可能な限り最大限に通信信号を減らすことが望ましい。過剰なシグナリングはネットワークを満杯にし（ｃｈｏｃｋ）、全ての顧客に対してサービスの質の低下を引き起こす場合がある。
【０００９】
１つの実装では、独自仕様プロトコル（MPTP−Mobile Positioning Telematics Protocol）に基づいた同様の独自仕様の移動機に基づくＧＰＳ（Global Positioning System）問題解決手法を提供する。近年の製品もアシストデータの能力を提供するが、間接的には、それらは基礎をなす無線ネットワークに相対的に依存しない。しかしながら、かかる実装は、独自仕様である上に、位置の正確さ及び報告待ち時間の性能に関わりを有する。
【００１０】
現在のＬＣＳの実装は、自動的で周期的な、又はイベントに駆動されるネットワークへの位置報告のための追跡モードにおいて、移動端末を認識する（ｐｌａｃｅ）能力を提供しない。追跡は、位置追跡要求メッセージで定義されたイベントトリガーの発生における「遅延のある（deferred）」位置報告に関わる。例えば、位置追跡要求は、２時間の間、１０分毎に位置報告を提供することができる。この場合におけるイベントトリガーは、２時間の間、１０分毎に契機を与えるタイマによって実現される。位置サーバの１つの実現形態は、（無線ネットワークの制御プレーンを使用して、）ＧＳＭ（Global System for Mobile Communications）及びＵＭＴＳ（Universal Mobile Telecommunication System）で定義されたＧＭＬＣ（Gateway Mobile Location Center）である。しかしながら、追跡（「複数の報告」）は、（無線ネットワーク外部のクライアントについての）無線ネットワークにおいて現在サポートされておらず、ＧＭＬＣに基づいた追跡は制限された誘因をサポートする。ＧＭＬＣは、要求されてクライアントに定期的な位置報告を提供することは可能であるが、各報告は無線ネットワークへのＧＭＬＣ要求によって個々に生成される必要があるため、シグナリングのオーバーヘッドによるコストがかかり、周期的な報告に基づく追跡のみが可能となる。
【００１１】
改良した位置サーバの実装が必要である。
【課題を解決するための手段】
【００１２】
以下では、本発明のいくつかの態様の基本的な理解を提供するために、本発明の簡単な要約を提示する。この要約は本発明の外延的な要旨ではない。これは、本発明の重要な（key）／重大な（critical）要素を特定すること、又は、本発明の範囲を線引きすることを意図していない。この唯一の目的は、後に提示する、より詳細な説明の前置きとして簡単な形式で本発明のいくつかの概念を提示することである。
【００１３】
本発明は、ＬＢＳ（Location Based Services：位置に基づくサービス）追跡アプリケーションに対する現在の問題解決法を用いて、未解決の問題を解決する。１つの実施形態では、オープンＡＰＩ（Application Programming Interface）（例えば、MLP-Mobile Location Protocol（ＭＬＰモバイルロケーションプロトコル））をサポートする位置サーバは、コアネットワーク上に常駐する（reside）代わりに移動端末内に常駐する。従来の実施形態（例えば、ＭＬＰ及び３ＧＰＰ／３ＧＰＰ２仕様）は、位置サーバを無線ネットワーク上に常駐させ、外部のクライアントと通信するものと想定するのみである。
【００１４】
そのサポートにおいて、ここで開示され特許請求される本発明は、その１つの態様において、無線信号を通信する移動通信コンポーネントを含む移動端末システムと、位置情報の決定を容易にするＬＣＳ（位置サービス）サーバを含む位置サービスコンポーネントとで構成される。これは、移動端末におけるサービスとしての位置追跡アプリケーションの利用を容易にする費用効率の高いシステムである。
【００１５】
本発明の他の態様において、移動端末の端末ベースのサーバは、ネットワークサーバ問題解決手法と比較して、帯域幅の効率性及び遅延の減少をもたらす「遅延のある」位置報告を端末が自動的に生成し報告することを可能とする。自動的な報告によって、例えば、移動装置がその位置を報告する毎にネットワークからの命令が必要でなくなるため、ネットワークと移動装置との間のシグナリングは減少する。従って、端末ベースのサーバのアプリケーションは、従来の標準化された位置報告方法上のシグナリングオーバーヘッドを大きく減少させる。
【００１６】
別の態様では、端末ベースのＬＣＳサーバは、サポート可能なトリガーイベントの種類においてネットワークサーバよりも用途が広い。例えば、ネットワークサーバは、タイマトリガー報告をサポートする能力があるが、それらは端末位置又は速度に基づくトリガーをサポートすることができない。一方、端末サーバは、ＧＰＳ受信機を搭載した端末からの速度を容易に計算することができる。
【００１７】
さらに本発明の別の態様においては、本発明は速度及び位置決定の正確性を向上させるために無線ネットワーク内の能力を利用する。例えば、端末はネットワークからＡ−ＧＰＳ（Assisted Global Positioning System）アシストデータを要求及び取得して、速い、正確な、電力効率のよい、自動的な位置決定のために、有効期間（通常２−３時間）に亘ってデータを使用することが可能である。
【００１８】
別の態様においては、開示された発明は、オープンスタンダードインターフェースを使用し、既存の問題解決手法よりも無線ネットワークと密に結合する。例えば、開示された端末に基づくサーバ問題解決手法は、位置情報を報告するためにＭＯ−ＬＲ（Mobile Originated-Location Request）及びＭＴ−ＬＲ（Mobile Terminated-Location Request）信号を使用可能であり、そこでの既存の端末に基づく位置ソフトウェア問題解決手法は、ＳＭＳ（Short Message Service：ショートメッセージサービス）又は位置を報告するためのより高いレベルのパケットデータアプリケーションに依存する。ＭＯ−ＬＲ及びＭＴ−ＬＲを使用することで、より速い位置決定をサポートするのみならず、移動に基づく異なるロケーション技術をサポートし、移動端末の能力に対するアシストデータを調整し、課金を簡素化し、潜在的にＱｏＳ（Quality-of-Service；サービス品質）能力を向上させることが可能となる。
【００１９】
さらに別の態様では、ネットワーク支援と共に又は共にでなく、ＯＭＡ／ＬＩＦ  ＭＬＰ（Open Mobile Alliance/Location Interoperability Forum Mobile Location Protocol）プロトコル及び端末に基づくロケーション技術を用いて、帯域幅の効率性、多様なかつ低遅延の端末に基づく位置追跡アプリケーションを可能とする方法が提供される。動作において、位置クライアントは、端末内の又は端末に接続している位置サーバに対して（位置報告の周期等の、関連するトリガーパラメータとともに）位置追跡要求を送信する。要求は、オープンＯＭＡ／ＬＩＦ−ＭＬＰプロトコルを使用して送信される。クライアントを認証した後、使用される位置技術（例えば、アシストＧＰＳ（Assisted-GPS））に依存して、実施形態は適切なアシストデータを無線ネットワークから取得し、位置要求におけるトリガーを始動することが可能である。続いて、各トリガーイベントで、ＬＣＳサーバは移動端末とともに自動的に位置報告を作成し、クライアントに送信する。ＭＬＰを使用して、又は無線ネットワークシグナリングプロトコルを介して、位置報告を送信することができる。（シグナリングメッセージは制御プレーン上を送信され無線ネットワークに透過的でないが、ＭＬＰメッセージは無線ネットワークを通ってそのユーザプレーン上を透過的に通過することを注記しておく。）本質的に、本方法はプル（ｐｕｌｌ）に基づく問題解決法というよりもプッシュ（ｐｕｓｈ）に基づく問題解決法である。
【００２０】
前述の及び関連する目的を達成するために、次の記述及び添付した図面と関連してここで本発明のいくつかの例示的な態様が記述される。しかしながら、これらの態様は、本発明の原理を使用することができ、かつ、本発明がかかる全ての態様及び等価物を含むことを目的とする、様々な方法のうちのほんの数例を示すに過ぎない。本発明の他の利点及び今までにない特徴は、図とともに考察すれば、次の本発明の詳細な説明から明らかにすることができる。
【発明を実施するための最良の形態】
【００２１】
これから図を参照して本発明を記述するが、本明細書を通して、同等の参照番号を使用して同等の要素に言及する。以下の記述では、説明の目的で、本発明の完全な理解を提供するために多数の具体的な詳説を示す。しかしながら、本発明はこれらの具体的な詳説でなくとも実施できることは明らかである。他の例では、本発明の説明を容易にするために、周知の構造及び装置をブロック図の形式で示す。
【００２２】
この明細書で使用されるように、用語「コンポーネント」及び「システム」は、ハードウェア、ハードウェアとソフトウェアの組合せ、ソフトウェア、又は、実行中のソフトウェア、のうちの何れかのコンピュータに関連する実体（entity）に言及することを意図している。例えば、コンポーネントは、限定されるものではないが、プロセッサ上で実行される処理、プロセッサ、オブジェクト、実行ファイル、実行スレッド、プログラム、及び／又は、コンピュータとすることができる。例として、サーバ上で実行されるアプリケーション及びサーバはコンポーネントとすることができる。１又は複数のコンポーネントは実行のプロセス及び／又はスレッド内にあり、コンポーネントは１つのコンピュータ内に集約され、及び／又は、複数のコンピュータ間に分散している。
【００２３】
開示された発明のいくつかの実施形態の下では、本格的な追跡は、現在の標準的なシグナリングを使用して、しかしこれらのアプリケーションに対して（ユーザプレーンと、状況に応じて制御プレーンを使用して）移動端末内で位置サーバ機能の実装を必要とする異なる実施形態を用いて可能であり、ＧＭＬＣ（Gateway Mobile Location Center）は変更されないまま想定されるように機能する。追跡は完全にサポートされ、帯域幅のオーバーヘッドを削減する。移動端末においてＬＣＳサーバをサポートするさらなる理由（reason）は、証明された投資対効果検討書（proven business case）、端末機能の起動からの収益、アシストデータの配信、要求を処理するユーザプレーントラヒック／ＧＭＬＣを含んでおり、現在の３ＧＰＰ＆ＯＭＡ（Open Mobile Alliance）標準により完全にサポートされており、特に、プッシュトゥートークによってターゲットとされるマーケットセグメントに適用可能である。開示された発明は、ＭＬＰ（Mobile Location Protocol）のＡＧＰＳ（Assisted Global Positioning System）ターミナルＡＰＩ（Application Programming Interface）のみを要求する。最小限、ＭＬＰメッセージのサブセットで十分の場合がある。代替の実施形態では、ＧＭＬＣをサブクライアントとして含むことが可能である。Ｌｅは位置クライアント及び位置サーバを接続する。事実上の標準は、ＯＭＡ／ＬＩＦ  ＭＬＰ  ＡＰＩアプリケーション層プロトコルであり、これは簡単かつ安全であり、ＨＴＴＰ（HyperText Transport Protocol）、ＳＳＬ／ＴＬＳ（Secure Socket Layer/Transparent LAN Service）及びＸＭＬ（eXtensible Markup Language）等の、既存のよく知られたインターネットテクノロジに基づいている。
【００２４】
位置報告の契機は、（周期的な又は他の）タイマに基づいた絶対的な地域（例えば、固定された地域及び与えられた半径）、相対的な位置（例えば、最後に報告された位置）、緊急呼出し、速度、手入力、及び、ユーザ警告のある又はない全ての報告を含む。
【００２５】
位置追跡の問題解決法は、様々なアプリケーションにおいて用いることが可能であるが、限定するものではないが、特に、人員管理と次の分野でのセキュリティとを含む「プッシュトゥートーク」の顧客と同一のカテゴリにおける企業の顧客に対して用いることが可能である。すなわち、専門のセキュリティ、個人の安全、孤独な作業者の保護、輸送・物流管理、構築・修理、アセット管理、健康、アウトドア、旅行及びスポーツの分野である。顧客は、安全性と、企業労働者及び個人のセキュリティとを保証したい企業及びサービス機構を構成することが可能であり、オペレーション及びプロセスをストリームライン化することによりただちにコストの節約を生じさせ、移動性労働力管理及びコミュニケーションを可能とすることにより生産性及び効率性を向上させ、優位性のある利点を得ることが可能である。
【００２６】
必要とされる標準的な機能は既に実施されている。加えて、ＵＳＩＭ（Universal Subscriber Identity Module：汎用加入者識別モジュール）及びＵＳＡＴ（USIM Application Toolkit：ＵＳＩＭアプリケーションツールキット）等のいくつかの態様では、公開されたアーキテクチャから得た機能を提供する。
【００２７】
ＬＣＳについてのテクニカル仕様は、「３ＧＰＰテクニカル仕様グループサービス及びシステムの特徴、ＬＣＳの機能ステージ２の説明（リリース４）」のタイトルが付けられている文献3G TS 23.271 V2.0.0(2000-12)において、そして、「３ＧＰＰテクニカル仕様グループサービス及びシステムの特徴、位置サービス（ＬＣＳ）、サービスの説明、ステージ１（リリース４）」のタイトルが付けられている文献3GPP TS 22.071 V4.5.0(2003-09)において見出すことが可能であり、両方の文献とも全体を参照することにより本明細書に組み入れられる。
【００２８】
ここで図１を参照すると、本発明のシステム１００が示されている。システム１００は、無線信号の通信を容易にする移動通信コンポーネント１０２を含む。それと関連して、移動通信コンポーネント１０２にインターフェースで連結される位置サービスコンポーネント１０４があり、セルラーネットワークにおいて位置情報を提供する。システム１００は、移動通信コンポーネント１０２及び位置サービスコンポーネント１０４の両方を含む移動端末（例えば、セルラーホン）として具現化することが可能である。位置要求信号は、移動通信コンポーネント１０２におけるシステム１００によって受信可能であり、位置サービスコンポーネント１０４に従ってそこで処理され、位置報告を提供する。
【００２９】
図２を参照すると、本発明による位置追跡の処理が示されている。説明を簡単にするために、ここでは、例えばフローチャートの形で１又は複数の手順が示され、一連の動作として記述されているが、本発明は動作の順序に限定されないことは理解されるべきである。本発明によれば、いくつかの動作は、異なる手順で、及び／又は、ここで示され記述される他の動作と同時に生じることができる。例えば、当業者は代わりに、手順が、状態図において等、一連の相互に関連する状態及びイベントとして表現可能であることは理解できるであろう。さらに、全ての例示された動作が、本発明に従った手順で実行されることが要求されるわけではない。
【００３０】
開示したアーキテクチャは、ネットワークの支援により又は支援なしで、ＯＭＡ／ＬＩＦ  ＭＬＰ及び端末に基づくロケーション技術を使用して、効率のよい帯域幅で、多目的に、少ない遅延で、端末に基づく位置追跡アプリケーションを可能とする。２００で、位置クライアントは（位置報告の周期等の関連するトリガーパラメータとともに）位置追跡要求を位置サーバに送信する。この位置サーバは、端末の中で又は端末に接続して、移動端末と関連している。この要求は、オープンＯＭＡ／ＬＩＰ  ＭＬＰを使用して送信される。２０２で、位置サーバはクライアントを認証する。位置クライアントを認証した後、２０４で、実施形態は、ロケーション技術（例えばアシストＧＰＳ）によって無線ネットワークから該当するアシストデータを取得することができる。２０６で、位置サーバは、位置要求の中の１又は複数のトリガーを起動する。続いて、２０８に示すように、各トリガーイベントで、端末とともに位置サーバは自動的に位置報告を生成する。２１０で、サーバは報告をクライアントに送信する。位置報告は、ＭＬＰを使用して、又は、無線ネットワークシグナリングプロトコルを介して送信される。ここで、シグナリングメッセージは制御プレーン上で送信され、無線ネットワークに対して透過的でないが、ＭＬＰメッセージはユーザプレーン上を無線ネットワークを介して透過的に通過する。本質的に、この方法は「プル（ｐｕｌｌ）に基づいた」というよりは、「プッシュ（ｐｕｓｈ）に基づいた」問題解決法である。２１２では、位置クライアントは報告を受信し、報告を処理する。次いで、処理は終了ブロックに到達する。
【００３１】
図３を参照すると、システム３００の信号の流れが示されており、本発明によれば、ＬＣＳサーバは移動端末３０２で具現化されている。システム３００は、従来のネットワークの構成要素、すなわち、エアインターフェース３０６を介してコアネットワーク（ＣＮ）３０４と通信する無線移動端末３０２を含む。（コアネットワーク３０４は、無線アクセスネットワーク（ＲＡＮ）であることも可能である。）コアネットワーク３０４は、ＧＭＬＣ  ＣＮ／ＲＡＮインターフェース３１０を介して、ＧＭＬＣ  ＬＣＳサーバ３０８にインターフェース接続する。そして、ＧＭＬＣ  ＬＣＳサーバ３０８は、外部インターフェース（デーモンＬｅ）３１４を介して外部のＬＣＳクライアント３１２にインターフェース接続する。
【００３２】
従来、ＬＣＳクライアント３１２からの位置要求は、ＧＭＬＣ  ＬＣＳサーバ３０８に単一の又は複数の報告のための要求を送信することにより処理されたが、このサーバ３０８は、コアネットワーク３０４に対してのみ単一の報告のための要求を転送する。コアネットワーク３０４は、エアインターフェース３０６のみを介して、単一の報告のためのアシストデータに加えてその要求を端末３０２に転送する。ＡＧＰＳの能力のある端末３０２は、要求されなくても、単一の位置報告をコアネットワーク３０４に送り返す。次に、ネットワーク３０４は、ＧＭＬＣ  ＬＣＳサーバ３０８に単一の位置報告を転送し、この位置報告（単一又は複数の遅延のある報告）がＬＣＳクライアント３１２に転送される。
【００３３】
ここで、移動端末３０２はＬＣＳサーバを含むため、報告は異なる経路をとることが可能である。本発明の１つの観点によれば、位置要求／報告は、完全にＧＭＬＣ  ＬＣＳサーバ３０８を迂回する。少なくともＬＣＳサーバを含むことにより、端末３０２は（移動端末であることも可能なＬＣＳクライアント３１２から直接の、単一又は複数の報告のために）位置要求３２０を受信することが可能である。それに応答して、端末３０２は、ＭＯ−ＬＲ（Mobile Originated-Location Request）アシストデータ要求（周期的）３２２をエアインターフェース３０６を介してネットワーク３０４に送信する。ネットワーク３０４はＭＯ−ＬＲ要求３２２を処理し、アシストデータ（周期的）３２４をエアインターフェース３０６を介して端末３０２に返信する。次いで、端末３０２は、位置報告（単一又は遅延のある複数）３２６をＬＣＳクライアント３１２に直接返信する。
【００３４】
ここで図４を参照すると、システム４００の別の信号の流れが示されている。このシステム４００では、本発明によるＬＣＳサーバは移動端末３０２で具現化されている。この代替の信号経路において、位置要求３２０は、ＧＭＬＣ  ＬＣＳサーバ３０８を完全に迂回することにより、移動端末３０２のＬＣＳサーバに直接送信されるが、報告はＧＭＬＣサーバ３０８を通ってＬＣＳクライアント３１２に返信される経路をとる。端末３０２は、ＬＣＳクライアント３１２から直接（単一の又は複数の報告のための）位置要求３２０を受信する。その応答として、端末３０２は、ＭＯ−ＬＲアシストデータ要求（周期的）３２２をエアインターフェース３０６を介してネットワーク３０４に送信する。ネットワーク３０４はＭＯ−ＬＲ要求３２２を処理し、エアインターフェース３０６を介して端末３０２に返信する。次いで、端末３０２は、位置報告（単一又は遅延のある複数）４０２をコアネットワーク３０４に返信する。ネットワーク３０４は位置報告４０２をＧＭＬＣ  ＬＣＳサーバ３０８に転送し、次いでＧＭＬＣ  ＬＣＳサーバ３０８は位置報告４０２をＬＣＳクライアント３１２に転送する。（図３の位置報告３２６と、位置報告４０２とは、同じ報告情報より成るが、様々なエンティティ間のルーティング経路に従って異なるルーティング情報を含むことが可能であることを注記しておく。）
ここで図５を参照すると、システム５００の代替の信号の流れが示されている。本発明によるＬＣＳサーバは、移動端末３０２で具現化されている。この代替の信号経路において、位置要求５０２はＧＭＬＣ  ＬＣＳ３０８を通るが、報告はサーバ３０８を迂回してＬＣＳクライアント３１２に直接戻る経路をとる。ここで、ＬＣＳクライアント３１２は、（単一又は複数の報告のための）位置要求５０２をＧＭＬＣ  ＬＣＳサーバ３０８に送信する。次いで、ＧＭＬＣ  ＬＣＳサーバ３０８は、コアネットワーク３０４を迂回し、位置要求５０２を直接端末３０２に送信する。その応答として、端末３０２はＭＯ−ＬＲアシストデータ要求（周期的）３２２をエアインターフェース３０６を介してネットワーク３０４に送信する。ネットワーク３０４はＭＯ−ＬＲ要求３２２を処理し、アシストデータ（周期的）３２４を端末３０２に返信する。次に、端末３０２はＬＣＳクライアント３１２に直接位置報告（単一又は遅延のある複数）３２６を返信する。
【００３５】
ここで図６を参照すると、システム６００の代替の信号の流れが示されている。本発明によるＬＣＳサーバは、移動端末３０２で具現化されている。この代替の信号経路において、位置要求５０２はＧＭＬＣ  ＬＣＳサーバ３０８を通って転送及び返信される。ここでは、ＬＣＳクライアント３１２は、（単一又は複数の報告のための）位置要求５０２をＧＭＬＣ  ＬＣＳサーバ３０８に送信する。次いで、ＧＭＬＣ  ＬＣＳサーバ３０８は、位置要求５０２を、コアネットワーク３０４を迂回して直接端末３０２に送信する。その応答として、端末３０２はＭＯ−ＬＲアシストデータ要求（周期的）３２２をエアインターフェース３０６を介してネットワーク３０４に送信する。ネットワーク３０４はＭＯ−ＬＲ要求３２２を処理し、アシストデータ（周期的）３２４を端末３０２に送信する。次いで、端末３０２は、位置報告（単一又は遅延のある複数）４０２をコアネットワーク３０４に返信する。ネットワーク３０４は位置報告４０２をＧＭＬＣ  ＬＣＳサーバ３０８に転送し、ＧＭＬＣ  ＬＣＳサーバ３０８は位置報告４０２をＬＣＳクライアント３１２に転送する。ＭＯ−ＬＲは、端末からＲＡＮへのＭＯ−ＬＲメッセージと、ＭＴ−ＬＲ（Mobile Terminated-Location Request）手順のサブセットとを使用することを注記しておく。
【００３６】
図７を参照すると、本発明による位置サービスを提供するのに適した移動装置７００のブロック図が示されている。装置７００は全ての積載された動作及び処理を制御するためのプロセッサ７０２を含む。メモリ７０４は、一時的なデータ保存のためにプロセッサ７０２とインターフェースで接続され、１又は複数のアプリケーション７０６がプロセッサ７０２によって実行される。アプリケーション７０６は、本発明による移動端末７００からのＬＣＳサービスを提供するためのＬＣＳサーバ及び関連するアプリケーション７０７を含む。通信コンポーネント７０８はプロセッサ７０２とインターフェースで接続され、外部システムとの有線／無線通信を容易にする。通信コンポーネント７０８は、端末７００の位置検知を容易にする位置コンポーネント７０９（例えば、ＧＰＳ送受信機）にインターフェースで接続される。位置コンポーネント７０９を通信コンポーネント７０８の一部として含むことも可能であることを注記しておく。
【００３７】
デバイス７００は、本発明に従ってダウンロードされたコンテンツを表示するためのディスプレイ７１０を含む。シリアルＩ／Ｏインターフェース７１２は、プロセッサ７０２との通信において提供され、有線接続を介してのシリアル通信（例えば、ＵＳＢ、及び／又はＩＥＥＥ１３９４）を容易にする。これは、例えば、装置７００のアップデート及び故障点検をサポートする。オーディオの能力はオーディオＩ／Ｏコンポーネント７１４で提供され、オーディオＩ／Ｏコンポーネント７１４は、例えば録音されたデータ又は電話音声データに関連するオーディオ信号の出力のためのスピーカ、録音及び／又は電話の会話のための音声信号を入力するためのマイクロフォンを含むことが可能である。
【００３８】
デバイス７００は、カード７１８のフォームファクタにおけるＳＩＳに適合するためのスロットインターフェース７１６を含み、ＳＩＳカード７１８をプロセッサ７０２へインターフェース接続する。ファームウェア７２０は保存のために提供され、プロセッサ７０２に起動及び使用可能なデータを提供する。装置７００は、また、カメラ等の映像記録コンポーネントを含むことが可能である。そして、ユーザはデジタル写真を撮ることができ、写真を遠隔の場所に送信したり、又は、局所に写真を保存する。より堅牢な実施形態において、装置７００はエンコードされたマルチメディアコンテンツをデコードするためのビデオデコーダ７２４を含む。装置はまたバッテリの形で電源７２６を含む。電源７２６は、外部の電力システムとインターフェースで接続され、又は、Ｉ／Ｏコンポーネント７２８を介して設備を充電する。
【００３９】
例えば、装置７００に常駐しているアプリケーション７０６は、ローカルデータ及び設定、ウェブサイトと相互に通信するためのブラウザ、音楽再生装置、ビデオ再生ソフトウェア、及び、装置７００での動作に適した任意の他のソフトウェアを構成し操作するためのオペレーションシステムである。
【００４０】
一般的に、プログラムモジュールは、特定のタスクを実行し、又は、特定の抽象的なデータ種類を実装するルーチン、プログラム、データ構成等を含む。さらに、当業者は、シングルプロセッサ又はマルチプロセッサコンピュータシステム、ミニコンピュータ、メインフレームコンピュータ、パーソナルコンピュータ、携帯用のコンピュータ装置、マイクロプロセッサに基づいた又はプログラム可能な家庭用電化製品等を含む、他のコンピュータシステム構成で発明方法を実施可能なことを理解するであろう。これらは１又は複数の関連した装置に動作可能に連結することが可能である。
【００４１】
ポータブル通信装置は通常様々なコンピュータ読み取り可能な媒体を含む。コンピュータ読み取り可能な媒体は、コンピュータによりアクセス可能な任意の利用可能な媒体とすることが可能であり、揮発性媒体と不揮発性媒体との両方、取り外し可能な媒体と取り外し不可能な媒体との両方を含む。限定するものではないが、例として、コンピュータ読み取り可能な媒体はコンピュータ格納媒体及び通信媒体で構成することが可能である。格納媒体は、コンピュータ読み取り可能な命令、データ構造、プログラムモジュール又は他のデータ等の情報格納のための任意の方法又は技術が実装された、揮発性及び不揮発性の両方、取り外し可能及び取り外し不可能の両方の媒体が含まれる。格納媒体は、限定するものではないが、ＲＡＭ、ＲＯＭ、ＥＥＰＲＯＭ、フラッシュメモリ、又は他のメモリ技術を含み、又は、必要な情報の保存に利用可能な、かつ、携帯装置での処理によってアクセス可能な、任意の他の媒体を含む。
【００４２】
通信媒体は、通常、コンピュータ読み取り可能な命令、データ構造、プログラムモジュール、又は、搬送波又は他の送信機構等の他の変調データ信号中の他のデータで実現され、任意の情報配信媒体を含む。用語「変調データ信号」は、１又は複数の特徴セットを有する信号、又は、信号中の情報をエンコードするように変化する信号を意味する。例として、限定するものではないが、通信媒体は、有線ネットワーク又は直接の有線接続等の有線媒体、及び、アコースティック、ＲＦ、赤外線及び他の無線媒体等の無線媒体を含む。上記の任意の組合せもコンピュータ読み取り可能な媒体の範囲に含まれる。
【００４３】
上記で記述したことは、本発明の例を含む。もちろん、本発明を説明する目的で、考えうるあらゆるコンポーネントの組合せ又は手順を記述することは可能でなく、ある一般的な当業者が、本発明の多くのさらなる組合せ及び置換が可能であることを理解することができる。
【００４４】
移動端末上に常駐する追跡以外のアプリケーションが存在する可能性があることを理解すべきである。例えば、１つの可能性として位置に基づくテレマティックスがある。さらに、述べたように、提案方法は追跡のないアプリケーションを除外しているわけではない。
【００４５】
特に、位置追跡と関連する多様性及び遅延に関して開発時間及びパフォーマンスにおいて不利益が生じる可能性のある、代替の設計スキームを使用することが可能であることを理解すべきである。
【００４６】
さらに、ここで開示された１又は複数の発明は、主として「端末」のコンテキストで議論してきたが、当業者であれば、「端末」は、セルラーホン、ＰＤＡ（Personal Digital Assistance）、無線モデム付のポータブルコンピュータ等、多くの装置を包含することを意図していることを理解する。
【００４７】
従って、本発明は、特許請求の範囲内の思想及び範囲内に収まる全てのかかる代替、修正及び変形を包含することを意図する。さらに、「備える（comprising）」は特許請求の範囲における伝統的な語として使用された場合に解釈される（interpret）が、用語「含む（inclide）」が詳細な説明又は特許請求の範囲の何れかで使用される限りにおいて、かかる用語は用語「備える」と同様の形式（ｍａｎｎｅｒ）に含めることを意図している。
【図面の簡単な説明】
【００４８】
【図１】本発明のシステムを示す図である。
【図２】本発明による位置追跡の処理を示す図である。
【図３】本発明による移動端末においてＬＣＳサーバが実現されるシステムにおける信号の流れを示す図である。
【図４】本発明による移動端末においてＬＣＳサーバが実現されるシステムにおける信号の流れを示す図である。
【図５】本発明による移動端末においてＬＣＳサーバが実現されるシステムにおける信号の流れを示す図である。
【図６】本発明による移動端末においてＬＣＳサーバが実現されるシステムにおける信号の流れを示す図である。
【図７】本発明による位置サービスを提供するのに適した移動装置のブロック図である。
【図１】
2007535831.tif 000003
【図２】
2007535831.tif 000004
【図３】
2007535831.tif 000005
【図４】
2007535831.tif 000006
【図５】
2007535831.tif 000007
【図６】
2007535831.tif 000008
【図７】
2007535831.tif 000009